(57)【要約】【課題】マナーモード時に、緊急の特別呼び出しの通知を可能にする。【解決手段】サービスセンタを含む電話網と携帯端末と情報通信端末とを含むシステムにおいて、サービスセンタに、一般電話網の発着信機能に加えて、認証機能と、携帯端末装置のマナーモード設定に関係なく着信音を鳴動させるトリガ機能と、ガイダンス通知機能と、発ＩＤ乗せ換え機能と、前記２端末どうしを接続する通話パス張替え機能とを設け、サービスセンタは、発信する情報通信端末の電話番号を発ＩＤ乗せ換え機能により乗せ換えて、発ＩＤをサービスセンタとして携帯端末を呼出す発信をし、携帯端末がマナーモードに設定されていても、特別な発ＩＤからの着信時には着信音を鳴らし、携帯端末装置の応答後にサービスセンタにおけるガイダンス通知機能からのガイダンスに応答して、携帯端末におけるキーボードのうちのいずれかの所定キーを押下げる簡易な操作により前記情報通信端末との通話を可能とする。【選択図】　　　　図１
2004112253.tif 000002
【特許請求の範囲】
【請求項１】
サービスセンタを含む電話網と携帯端末装置と情報通信端末装置とを含むシステムにおいて、前記サービスセンタが、一般電話網の発着信機能に加えて、当該センタと予め契約した発信者／着信者の顧客パスワード認証機能と、発ＩＤ乗せ換え機能と、前記携帯端末装置のマナーモード時に該携帯端末装置を着信音鳴動させるトリガ機能と、ガイダンス通知機能と、前記２端末装置どうしを接続する通話パス張替え機能とを備え、前記サービスセンタは、発信する前記情報通信端末装置からの呼び出し先の電話番号を前記発ＩＤ乗せ換え機能により乗せ換えて、前記トリガ機能により、発ＩＤをサービスセンタとして前記携帯端末装置を呼出す発信をし、前記発ＩＤの着信により前記携帯端末装置をマナーモードでも着信音鳴動させ、携帯端末の応答後に前記サービスセンタにおける前記ガイダンス通知機能からのガイダンスを受け、簡易な操作により前記情報通信端末装置との通信を可能としたことを特徴とするマナーモード時着信音鳴動−端末接続サービスシステム。
【請求項２】
前記簡易な操作を、前記携帯端末装置におけるキーボードのうちのいずれか１つの所定キーを押下げる操作としたことを特徴とする請求項１に記載のマナーモード時着信音鳴動−端末接続サービスシステム。
【請求項３】
前記システムが位置検出機能を備えた携帯端末装置を含み、該携帯端末装置が特定の場所においては着信時に着信音を鳴らさないマナーモードでの呼び出しを行うことを特徴とする請求項１又は２に記載のマナーモード時着信音鳴動−端末接続サービスシステム。
【請求項４】
前記携帯端末装置が着信応答した後に前記サービスセンタが前記携帯端末装置へ送出するガイダンスは、複数のガイダンスから選択したガイダンスが前記情報通信端末装置に送信され、該情報通信端末装置は受信するガイダンスより通話の可否を判断可能としたことを特徴とする請求項１−３のいずれか一項に記載のマナーモード時着信音鳴動−端末接続サービスシステム。
【請求項５】
サービスセンタを含む電話網と携帯端末装置と情報通信端末装置とを含むシステムにおいて、前記サービスセンタが、一般電話網の発着信機能に加えて、当該センタと予め契約した発信者／着信者の顧客パスワード認証機能と、発ＩＤ乗せ換え機能と、前記携帯端末装置のマナーモード時に該携帯端末装置の着信音を鳴動させるトリガ機能と、ガイダンス通知機能と、前記２端末どうしを接続する機能とを備え、前記サービスセンタは、発信する前記情報通信端末装置からの呼び出し先の携帯端末装置の電話番号を登録した後に回線断とし、発ＩＤを前記サービスセンタとして前記登録済みの着信端末に対して発信し、着信端末である前記携帯端末装置がマナーモードに設定されていても、前記発ＩＤからの着信時には着信音鳴動させ、前記携帯端末装置の応答後に前記サービスセンタにおける前記ガイダンス通知機能からのガイダンスを受け、簡易な操作により前記サービスセンタからの発信で呼び出される前記情報通信端末装置との通話を可能としたことを特徴とするマナーモード時着信音鳴動−端末接続サービスシステム。
【請求項６】
前記システムが位置検出機能を備えた携帯端末装置を含み、該携帯端末装置が特定の場所においては着信時に着信音を鳴らさないマナーモードでの呼び出しを行うことを特徴とする請求項５に記載のマナーモード時着信音鳴動−端末接続サービスシステム。
【請求項７】
請求項１に記載のシステムにて使用される携帯端末装置において、当該携帯端末装置が、一般セル方式の端末機能に加えて、サービスセンタからの
特別な発ＩＤの着信時にはマナーモードでも前記携帯端末装置を着信鳴動させるマナーモード時着信音鳴動機能を備えていることを特徴とする携帯端末装置。
【請求項８】
前記携帯端末装置がセル内の無線基地局配置情報、又はＧＰＳセンサによる位置検出機能も備え、サービスセンタにおけるセルによる位置検出機能と前記携帯端末装置における位置検出機能とにより得られる特定位置の判定情報に基づいて前記マナーモード時着信音鳴動機能を不作動にして、前記携帯端末装置をマナーモードでの着信状態にすることを特徴とする請求項７に記載の携帯端末装置。
【請求項９】
請求項５に記載のシステムにて使用される携帯端末装置において、当該携帯端末装置が、一般セル方式の端末機能に加えて、サービスセンタからの
特別な発ＩＤの着信時にはマナーモードでも前記携帯端末装置を着信鳴動させるマナーモード時着信音鳴動機能を備えていることを特徴とする携帯端末装置。
【請求項１０】
前記携帯端末装置がセル内の無線基地局配置情報、又はＧＰＳセンサによる位置検出機能も備え、サービスセンタにおけるセルによる位置検出機能と前記携帯端末装置における位置検出機能とにより得られる特定位置の判定情報に基づいて前記マナーモード時着信音鳴動機能を不作動にして、前記携帯端末装置をマナーモードでの着信状態にすることを特徴とする請求項９に記載の携帯端末装置。
【発明の詳細な説明】
【０００１】
【発明の属する技術分野】
本発明は携帯端末装置、特に携帯端末装置のマナーモード設定時に緊急着信を通知するマナーモード時着信音鳴動−端末接続サービスシステムに関するものである。
【０００２】
【従来の技術】
従来、携帯端末装置（以後、単に「携帯端末」とも称する）には、電車、旅客機、映画館、演芸場等のような公共の場所での使用が周囲の人に迷惑にならないように、着信音を無鳴動にするマナーモードが設けられている。しかし、使用者が携帯端末をマナーモードに設定している場合、着信感知はバイブ機能のみであるため、着信に気づかない場合が多くあり、直接的に知ることもできない。そこで、マナーモードが設定されている携帯端末において、所定期間の経過後もなお着信状態が継続される場合に、緊急メッセージの着信であると判断して着信音を鳴らし着呼者に緊急の着呼であることを知らせる機能を備えたものがある（例えば、特許文献１参照）。しかし、このような携帯端末では、着信音の鳴動が絶対に許されないクラシック音楽会や葬儀などの特定の場所において周りの人達に迷惑をかけることになる。
【０００３】
また、マナーモードに設定した状態で携帯端末を何処かに置き忘れて紛失した場合に、携帯端末を探すためにその携帯端末の電話番号に発呼し、着信音により端末の在り処を探ろうとしても、着信音が鳴らないために、発見できないと云う不都合がある。そこで、マナーモードが設定されている際に、そのマナーモードを強制解除する着信時のコール回数をメモリに設定しておき、着信時にコール回数をカウントし、メモリに設定されているコール回数以上をカウントした時点にマナーモードを強制的に解除して、着信音を鳴らすようにしているものもある（例えば、特許文献２参照）。このような携帯端末でも、他人からの着信コール回数によってマナーモードが解除される恐れがあるために前述した従来例の欠点が依然ある。
【０００４】
さらに、着信データに着呼を識別するための識別データを設定することにより、特定の者からの着信と他の者からの着信を選別し、前者のみ着信音を鳴らすようにした、発ＩＤにより着信音の鳴り分けを可能にした携帯端末もある（例えば、特許文献３参照）。しかし、この場合には、携帯端末に登録した特定の発ＩＤからの着信のみに制限され、また上述したような欠点も拭われず、さらに、緊急メッセージの着信を予知していても、それに対処できない不都合がある。
【０００５】
【特許文献１】
特開２０００−３２１２５号公報（段落〔００３４〕、図１及び図２）
【特許文献１】
特開２００２−１２５００９号公報（段落〔００１３〕〜〔００１５〕、図１）
【特許文献３】
特開平０９−８９０４号公報（段落〔００１０〕、図１）
【０００６】
【発明が解決しようとする課題】
本発明は上述したような問題点に鑑み、マナーモードにしていても携帯端末を無くした場合などに着信音で探すことができ、またこのマナーモードにおいて、鳴音による緊急呼出しを行うこともでき、着信端末は簡易な操作により、呼出された呼に対して通信するか、しないかを選択することにより、特定な場所においては着信時に着信音を鳴らさないマナーモードでの呼び出しを行うことができるマナーモード時着信音鳴動−端末接続サービスシステム及び該システム用の携帯電話端末装置を提供することを目的とする。
【０００７】
【課題を解決するための手段】
上記目的達成のために、請求項１の発明は、サービスセンタを含む電話網と携帯端末装置と情報通信端末装置とを含むシステムにおいて、前記サービスセンタが、一般電話網の発着信機能に加えて、当該センタと予め契約した発信者／着信者の顧客パスワード認証機能と、発ＩＤ乗せ換え機能と、前記携帯端末装置のマナーモード時に該携帯端末装置を着信音鳴動させるトリガ機能と、ガイダンス通知機能と、前記２端末装置どうしを接続する通話パス張替え機能とを備え、前記サービスセンタは、発信する前記情報通信端末装置からの呼び出し先の電話番号を前記発ＩＤ乗せ換え機能により乗せ換えて、前記トリガ機能により、発ＩＤをサービスセンタとして前記携帯端末装置を呼出す発信をし、前記発ＩＤの着信により前記携帯端末装置をマナーモードでも着信音鳴動させ、携帯端末の応答後に前記サービスセンタにおける前記ガイダンス通知機能からのガイダンスを受け、簡易な操作により前記情報通信端末装置との通信を可能としたことを特徴とするマナーモード時着信音鳴動−端末接続サービスシステムにある。
【０００８】
請求項２の発明は、請求項１において、前記簡易な操作を、前記携帯端末装置におけるキーボードのうちのいずれか１つの所定キーを押下げる操作としたことを特徴とする。
【０００９】
請求項３の発明は、請求項１又は２において、前記システムが位置検出機能を備えた携帯端末装置を含み、該携帯端末装置が特定の場所においては着信時に着信音を鳴らさないマナーモードでの呼び出しを行うことを特徴とする。
【００１０】
請求項４の発明は、請求項１−３のいずれかにおいて、前記携帯端末装置が着信応答した後に前記サービスセンタが前記携帯端末装置へ送出するガイダンスは、複数のガイダンスから選択したガイダンスが前記情報通信端末装置に送信され、該情報通信端末装置は受信するガイダンスより通話の可否を判断可能としたことを特徴とする。
【００１１】
請求項５の発明は、サービスセンタを含む電話網と携帯端末装置と情報通信端末装置とを含むシステムにおいて、前記サービスセンタが、一般電話網の発着信機能に加えて、当該センタと予め契約した発信者／着信者の顧客パスワード認証機能と、発ＩＤ乗せ換え機能と、前記携帯端末装置のマナーモード時に該携帯端末装置の着信音を鳴動させるトリガ機能と、ガイダンス通知機能と、前記２端末どうしを接続する機能とを備え、前記サービスセンタは、発信する前記情報通信端末装置からの呼び出し先の携帯端末装置の電話番号を登録した後に回線断とし、発ＩＤを前記サービスセンタとして前記登録済みの着信端末に対して発信し、着信端末である前記携帯端末装置がマナーモードに設定されていても、前記発ＩＤからの着信時には着信音鳴動させ、前記携帯端末装置の応答後に前記サービスセンタにおける前記ガイダンス通知機能からのガイダンスを受け、簡易な操作により前記サービスセンタからの発信で呼び出される前記情報通信端末装置との通話を可能としたことを特徴とするマナーモード時着信音鳴動−端末接続サービスシステムにある。
【００１２】
請求項６の発明は、請求項５において、前記システムが位置検出機能を備えた携帯端末装置を含み、該携帯端末装置が特定の場所においては着信時に着信音を鳴らさないマナーモードでの呼び出しを行うことを特徴とする。
【００１３】
請求項７の発明は、請求項１に記載のシステムにて使用される携帯端末装置において、当該携帯端末装置が、一般セル方式の端末機能に加えて、サービスセンタからの特別な発ＩＤの着信時にはマナーモードでも前記携帯端末装置を着信鳴動させるマナーモード時着信音鳴動機能を備えていることを特徴とする。
【００１４】
請求項８の発明は、請求項７において、前記携帯端末装置がセル内の無線基地局配置情報、又はＧＰＳセンサによる位置検出機能も備え、サービスセンタにおけるセルによる位置検出機能と前記携帯端末装置における位置検出機能とにより得られる特定位置の判定情報に基づいて前記マナーモード時着信音鳴動機能を不作動にして、前記携帯端末装置をマナーモードでの着信状態にすることを特徴とする。
【００１５】
請求項９の発明は、請求項５に記載のシステムにて使用される携帯端末装置において、当該携帯端末装置が、一般セル方式の端末機能に加えて、サービスセンタからの特別な発ＩＤの着信時にはマナーモードでも前記携帯端末装置を着信鳴動させるマナーモード時着信音鳴動機能を備えていることを特徴とする。
【００１６】
請求項１０の発明は、請求項９において、前記携帯端末装置がセル内の無線基地局配置情報、又はＧＰＳセンサによる位置検出機能も備え、サービスセンタにおけるセルによる位置検出機能と前記携帯端末装置における位置検出機能とにより得られる特定位置の判定情報に基づいて前記マナーモード時着信音鳴動機能を不作動にして、前記携帯端末装置をマナーモードでの着信状態にすることを特徴とする。
【００１７】
【発明の実施の形態】
以下、本発明の実施の形態について図面を参照して説明する。
【００１８】
図１は本発明によるマナーモード時着信音鳴動−端末接続サービスシステムの概略図である。サービスセンタ１は電話網２に接続しており、例えば固定電話である情報通信端末３により携帯端末４に電話網２経由で電話をする場合に、携帯端末４がマナーモードに設定されていると、この携帯端末４は例えばバイブ機能で動作し、着信に気づかない場合が多々ある。また、発ＩＤにより着信音の鳴り分けを可能とした携帯端末もあるが、この場合には、端末に登録した発ＩＤからの着信のみに制限される。
【００１９】
そこで、本発明では、情報通信端末３からの発信でマナーモードで使用されている携帯端末４の着信音を特定呼び出しに対して鳴らすことを可能にする。このようにすれば、マナーモードにしていても携帯端末を無くした場合などに着信音で探すことが可能となり、また、マナーモードにしていても緊急呼出し及びメッセージの通知を行うことができる。
【００２０】
図２は本発明によるシステムにおけるサービスセンタ１及び電話網２と携帯端末４が持つ機能リストである。サービスセンタ／ネットワーク機能には、既存機能としての発着信に係わる一般電話網の機能に加えて、当該サービスセンタ１と予め契約した顧客に関する顧客データベース機能と、サービスセンタ１と予め契約した発信者／着信者の顧客パスワード認証機能と、情報通信端末３が発信する呼び出し先の電話番号を乗せ換えて、発ＩＤをサービスセンタとして携帯端末４を呼び出すための発ＩＤ乗せ換え機能と、携帯端末４のマナーモード時にこの携帯端末を着信音鳴動させるトリガ機能と、サービスセンタ１からの発ＩＤの着信に応答して着信音鳴動した携帯端末４の応答後に、携帯端末４に対して情報通信端末３からの緊急の特別呼び出しがあり、その着信を希望する場合には、例えばキーボード１５のある所定のキーを１つ押下するようにガイダンスしたり、サービスセンタ１からの発ＩＤの着信に応答して着信音鳴動した携帯端末４の通話可否の応答状況を発信元の情報通信端末３にガイダンスしたりするガイダンス通知機能と、携帯端末４の応答が着信を希望する場合に、情報通信端末３と携帯端末４が通話するように通話パスを張替えるための通話パス張替え機能と、セルによる位置検出機能が含まれる。
【００２１】
また、携帯端末４の機能としてはエアインターフェースによる一般セル方式端末機能に加えて、マナーモード時にサービスセンタ１からの発ＩＤの着信に応答してリンガを着信音鳴動させるマナーモード時着信音鳴動機能と、例えばクラッシク音楽会や葬儀など着信音の鳴動が絶対に許されない特定の場所でのマナーモード時着信音鳴動機能を停止させ、マナーモードに切り替えてバイブによる着信通知とメッセージ表示で緊急の特別呼び出しを通知するために、サービスセンタ１における前記位置検出機能によるセル内の無線基地局配置情報とＧＰＳセンサからの情報とで斯様な特定位置を判定する位置検出機能が含まれる。
【００２２】
図３は本発明による携帯端末の概略ブロック図であり、ここに、１０は無線信号の送受波を行うアンテナ、１１は入／出力無線信号の信号処理を行う信号処理部、１２は携帯端末の各機能動作を統括制御するＭＣＰＵ（マイクロプロセッサ）、１３及び１４は送受話部を構成するマイク及びレシーバ、１５はダイヤルキーやファンクションキー等を含む複数のキーボタンを有するキーボード部、１６は電話番号や時刻や現在のモードやガイダンス等の表示を行う表示部、１７はマナーモードや留守番電話サービスモードを設定するためのモード設定部、１８はモード設定部１７でのマナーモードの設定により、ＭＣＰＵ１２の制御のもとでバイブ１９を駆動制御するバイブ制御部、２０は通常の着信時に鳴動するリンガである。本発明によれば、アンテナ１０からリンガ２０までの従来の携帯端末におけるエアインターフェースによる一般セル方式の端末機能に加えて、マナーモード時の着信に対してリンガ２０を強制的に鳴動させるためのマナーモード時着信音鳴動機能２１と、音楽会や葬儀など着信音の鳴動が絶対に許されない特定な場所でのマナーモード時着信音鳴動機能２１を不作動にして携帯端末の接続を禁止させ、マナーモードのままのバイブ１９による着信通知と表示部１６でのメッセージによるガイダンス表示で緊急通知を行うために、特定位置を電話網におけるセル内の無線基地局配置情報とＧＰＳセンサからの情報により検出する位置検出機能２２とを設ける。
【００２３】
図１のサービスシステムにおける電話網２は、
（ａ）：従来型のアナログ電話網、
（ｂ）：ＩＳＤＮデジタル網、
（ｃ）：（ａ）と（ｂ）の混合した網、
（ｄ）：インターネット（ＩＰ）電話が使えるＩＰ網、
（ｅ）：（ｃ）と（ｄ）が共存する網、
のいずれの場合もある。
【００２４】
次に本発明のサービスシーケンスを説明する。図４は通話パスの張替えによる接続方式の場合（例１）であり、図５は網側からの両端末への発信による接続方式の場合（例２）である。
【００２５】
まず、図４の通話パスの張替えによる接続方式の場合を説明する。
シーケンス▲１▼：情報通信端末３（＃Ａ）が電話網２経由でサービスセンタ１に発信し、呼び出したい携帯端末（＃Ｂ）を指定入力する。この際、いたずら防止のために、サービスセンタ１の認証機能によりパスワード認証等も行う。
シーケンス▲２▼：サービスセンタ１は発ＩＤ乗せ換え機能により発ＩＤをサービスセンタ１とし、指定された携帯端末４（＃Ｂ）向けに発信する。
シーケンス▲３▼：携帯端末４では、サービスセンタ１からの発ＩＤを着信すると、端末のモード設定に関係なくリンガ２０を着信音鳴動させ、携帯端末４（＃Ｂ）が応答するとサービスセンタ１と携帯端末４は接続される。
シーケンス▲４▼：携帯端末４の応答後に、サービスセンタ１は、情報通信端末３（＃Ａ）からの特別呼出しであり、そのまま情報通信端末３（＃Ａ）との接続を希望する場合は、例えばキーボード１５の「＃」キーを押下するように携帯端末４にガイダンス通知する。
シーケンス▲５▼：サービスセンタ１は情報通信端末３（＃Ａ）に携帯端末４（＃Ｂ）の応答状況（（１）応答なし／接続希望なし、（２）応答あり／持続希望なし、（３）応答あり／接続希望あり）をガイダンスとして通知する。
シーケンス▲６▼：（３）応答あり／接続希望ありの場合に、サービスセンタ１は情報通信端末３と携帯端末４が通話するよう通話パスを張替える。この張替えはサービスセンタ１の通話パス張替え機能により実行される。
シーケンス▲７▼：新通話パスによる接続が出来て通話時間による課金が開始される。
【００２６】
図５の網側からの両端末への発信による接続方式の場合のサービスシーケンスは次ぎの通りである。
シーケンス▲１▼：情報通信端末３（＃Ａ）が電話網２経由でサービスセンタ１に発信し、呼出したい携帯端末（＃Ｂ）を指定入力し、いたずら防止のためパスワード認証等も行う。認証後、情報通信端末３（＃Ａ）からの入力情報が登録されて、情報通信端末３（＃Ａ）とサービスセンタ１との回線は切断される。
シーケンス▲２▼：サービスセンタ１は発ＩＤ乗せ換え機能により事前登録された着信携帯端末（＃Ｂ）向けに、発ＩＤをサービスセンタとして発信する。
シーケンス▲３▼：携帯端末４では、サービスセンタ１からの発ＩＤを着信すると、端末のモード設定に関係なくリンガ２０を着信音鳴動させ、携帯端末４（＃Ｂ）が応答するとサービスセンタ１と携帯端末４は接続される。
シーケンス▲４▼：携帯端末４の応答後に、サービスセンタ１は情報通信端末３（＃Ａ）からの特別呼出しであり、そのまま情報通信端末３（＃Ａ）との接続を希望する場合は、例えばキーボード１５の「＃」キーを押下するように携帯端末４にガイダンス通知する。
シーケンス▲５▼：サービスセンタ１は、携帯端末４（＃Ｂ）の応答状況（（１）応答なし／接続希望なし、（２）応答あり／接続希望なし、（３）応答あり／接続希望あり）が、（３）応答あり／接続希望ありの場合に、情報通信端末３（＃Ａ）にその応答状況に対応する信号を発信する。
シーケンス▲６▼：情報通信端末３（＃Ａ）の応答を受けた後、サービスセンタ１は情報通信端末３（＃Ａ）と携帯端末４（＃Ｂ）を接続し、通話時間による課金が開始される。
【００２７】
サービスセンタ１は、サービスプロバイダ業務に加えて、通信賂の交換接線機能として各種トーンの制御と回線保留と交換接続を行うことも可能である。図４及び図５のいずれの例の場合にも、図６に示すように、サービスセンタ１はマナーモード時着信音鳴動−端末接続サービスのサービス提供会社として顧客（発信者／着信者）からサービス提供の見返りとしてサービス料金（固定額）を得るが、前記サービス料金に加えて通信料金を得ることも出来るビジネスモデルを構築することが出来る。
【００２８】
以上の説明で使用される携帯端末の機能に位置センサの機能２２を追加することで、例えば病院や入場料の高いクラシック音楽会や葬儀など着信音の鳴動が絶対に許されない場所を認識してマナーモード時着信音鳴動−端末接続機能２１を停止し、マナーモードに切り替えてバイブによる着信通知と表示部１６でのメッセージ表示で緊急の特定呼び出しを通知することができる。例えば「現在隣家に火災発生し延焼中」などのメッセージを携帯電話端末上に表示する。
【００２９】
本発明で使用される携帯端末はエアインターフェースによる一般セル方式端末、例えばＮＴＴドコモ社製Ｎ５０１ｉに追加機能としてマナーモード時着信音鳴動機能を追加したものであり、更に加えて、特定の場所においてマナーモード時着信音鳴動機能を停止するには、例えばセル内の無線基地局配置情報によるか、あるいはＧＰＳセンサによる位置検出機能を追加工事したものである。
【００３０】
更に、フローチャートを用いて本発明によるサービスシステムの詳細な動作を説明する。
【００３１】
図７は前記例１の「通話パスの張替えによる接続方式」の場合のフローチャートであり、図８は前記例２の「網側からの両端未への発信による接続方式」の場合のフローチャートである。
【００３２】
まず図７のフローチャートについて説明する。
ステップ１：情報通信端末３がサービスセンタ１に発信し、呼出したい携帯端末４を指定する入力を行う。この際、情報通信端末３のパスワードによる認証が行われる。
ステップ２：サービスセンタ１から携帯端末４に発信する。
ステップ３：サービスセンタ１の発ＩＤからの着信により携帯端末４のモード設定に関係なく着信音鳴動する。
ステップ４：携帯端末４の応答があるか？あれば、ステップ５へ、ない場合にはステップ１０ヘ
ステップ５：携帯端末４が応答した場合に、サービスセンタ１は情報通信端末３（＃Ａ）からの特別呼出しであり、このまま＃Ａとの接続を希望する場合は、例えばキーボード１５の「＃」キーを押下するように携帯端末４にガイダンスする着信通知がなされる。
ステップ６：携帯端末４は、「＃」キーを押下したか？
「＃」キーを押下した場合には、ステップ７を経由してステップ８へ、押下しない場合にはステップ７を経由してステップ１０ヘ
ステップ７：サービスセンタ１は携帯端末４（＃Ｂ）のリプライ状況（１）：応答なし／接続希望なし、（２）：応答あり／接続希望なし、（３）：応答あり／接続希望あり）を情報通信端末３（＃Ａ）にガイダンスして通知する。
ステップ８：サービスセンタ１は通話パス張替え機能により情報通信端末３（＃Ａ）と携帯端末４（＃Ｂ）とを接続する。
ステップ９：情報通信端末３（＃Ａ）と携帯端末４（＃Ｂ）が接続して、通話時間による課金が開始する。
ステップ１０：サービス終了し回線断となる。
【００３３】
次に図８のフローチャートについて説明する。
ステップ１：情報通信端末３がサービスセンタ１に発信し、呼出したい携帯端末４を指定する入力を行い、サービスセンタ１に携帯端末４を登録する。この際、情報通信端末３のパスワードによる認証が行われる。
ステップ２：サードスセンタ１は情報通信端末３との回線を切断する。
ステップ３：サービスセンタ１は登録された携帯端末４に発信する。
ステップ４：サービスセンタ１の発ＩＤからの着信により端末４のモード設定に関係なく着信音が鳴動する。ステップ５：携帯端末４の応答があるか？あれば、ステップ６へ、ない場合にはステップ１０へ
ステップ６：携帯端末４が応答した場合に、サービスセンタ１は、情報通信端末３（＃Ａ）からの特別呼出しであり、このまま＃Ａとの接続を希望する場合は、例えばキーボード１５の「＃」キーを押下するように端末４にガイダンスして通知する。
ステップ７：携帯端末４は「＃」キーを押下したか？押下した場合にはステップ８へ、押下しない場合にはステップ１０ヘステップ８：サービスセンタ１から情報通信端末３〈＃Ａ〉に発信
ステップ９：サービスセンタ１は情報通信端末３（＃Ａ）と携帯端末４（＃Ｂ）を接続し、通話時間による課金が開始される。
ステップ１０：サービスが終了して回線断となる。
【００３４】
【発明の効果】
以上説明したように本発明によれば、マナーモードにしていても携帯端末を無くした場合などに着信音で探すことができる。また、携帯端末をマナーモードにしていても、緊急呼出しを行うことができる。さらに、着信携帯端末は簡易な操作により、呼出された呼に対して通信を希望するか、しないかを選択することができる。発信端末はサービスセンタからのガイダンスにより通話の可否が判断できる。サービスセンタを運営するサービス提供会社には新しいビジネスチャンスが提供される。電話網を運営する会社にはトラヒックの増加による増収が期待できる。
【図面の簡単な説明】
【図１】本発明によるマナーモード時着信音鳴動−端末接続サービスシステムの概略図である。
【図２】センタ／ネットワーク／携帯端末が持つ機能リストを示す図である。
【図３】本発明による携帯端末装置の概略構成ブロック図である。
【図４】通話パスの張替えによる接続方式（例１）の場合におけるサービスシーケンスの例を示す図である。
【図５】網側から情報通信端末装置と携帯端末装置との双方への発信による接続方式（例２）の場合におけるサービスシーケンスの例を示す図である。
【図６】ビジネスモデルの説明図である。
【図７】例１のフローチャートである。
【図８】例２のフローチャートである。
【符号の説明】
１　サービスセンタ
２　電話網
３　情報通信端末
４　携帯端末装置
１０　アンテナ
１１　信号処理部
１２　ＭＣＰＵ（マイクロプロセッサ）
１３　マイク
１４　レシーバ
１５　キーボード
１６　表示部
１７　モード設定部
１８　バイブ制御部
１９　バイブ
２０　リンガ
２１　マナーモード時着信音鳴動機能
２２　位置検出機能部
【図１】
2004112253.tif 000003
【図２】
2004112253.tif 000004
【図３】
2004112253.tif 000005
【図４】
2004112253.tif 000006
【図５】
2004112253.tif 000007
【図６】
2004112253.tif 000008
【図７】
2004112253.tif 000009
【図８】
2004112253.tif 000010